(57)【要約】【課題】ＴＶ受像機において、消費電力を抑えつつ、放送局から緊急警報放送信号がいつ発せられたとしても緊急警報放送信号の受信及び緊急警報情報の表示を可能にする。【解決手段】ＴＶ受像機１では、放送受信回路３により受信された放送信号に緊急警報放送信号が含まれていると判断されるとき、表示器５が緊急警報情報を表示し、通信回路６が警報発令情報信号を他のＴＶ受像機１に無線送信する。そして、この送信元以外の他のＴＶ受像機１が送信元からの警報発令情報信号を受信すると、放送受信回路３及び表示器５が待機状態の場合、制御回路９はそれらを動作状態に切り替える。それにより、放送局から緊急警報放送信号がいつ発せられたとしても、他のＴＶ受像機１から緊急警報放送信号を受信できる環境にあれば、待機状態の放送受信回路３及び表示器５は動作状態に切り替わる。従って、放送受信回路３及び表示器５を常に動作状態にしておく必要はなくなる。【選択図】図２
2013150206.tif 000002
【特許請求の範囲】
【請求項１】
放送局から放送信号を受信する放送受信部と、
前記放送受信部により受信された放送信号に緊急警報放送信号が含まれているか否かを判断する判断部と、
前記判断部により前記放送信号に前記緊急警報放送信号が含まれていると判断されたとき、前記緊急警報放送信号を基に緊急警報情報を表示する表示部と、を備えたテレビジョン受像機において、
前記判断部により前記放送信号に前記緊急警報放送信号が含まれていると判断されたとき、放送局が緊急警報放送中であることを示す警報発令情報信号を他のテレビジョン受像機に無線送信する情報送信部と、
他のテレビジョン受像機からの前記警報発令情報信号を無線受信する情報受信部と、
前記情報受信部により前記警報発令情報信号が受信されたとき、前記放送受信部及び前記表示部が待機状態にある場合、前記放送受信部及び前記表示部を動作状態に切り替える制御部と、を備えることを特徴とするテレビジョン受像機。
【請求項２】
前記警報発令情報信号が送信済みである場合にオンに設定され、前記警報発令情報信号が送信済みではない場合にオフに設定される送信フラグを記憶した記憶部をさらに備え、
前記制御部は、前記判断部により前記放送信号に前記緊急警報放送信号が含まれていると判断されたとき、前記記憶部に記憶された送信フラグがオフ状態である場合には、前記情報送信部に前記警報発令情報信号を送信させると共に、前記送信フラグをオン状態に切り替え、前記警報発令情報信号の送信から所定期間の経過後に前記送信フラグをオフ状態に戻し、前記送信フラグがオン状態である場合には、前記情報送信部に前記警報発令情報信号を送信させないことを特徴とする請求項１に記載のテレビジョン受像機。
【請求項３】
前記情報受信部の動作状態と待機状態とを切り替えるための受信設定切替え部をさらに備えることを特徴とする請求項１又は請求項２に記載のテレビジョン受像機。
【請求項４】
映像再生装置と接続可能な接続部をさらに備え、
前記表示部は、前記接続部に接続された映像再生装置により再生される映像を表示可能な構成とされており、
前記制御部は、前記表示部による前記映像の表示期間中、前記放送受信部を待機状態にさせ、前記情報受信部により前記警報発令情報信号が受信されたとき、前記放送受信部を動作状態に切り替え、前記表示部に緊急警報情報を表示させることを特徴とする請求項１乃至請求項３のいずれか一項に記載のテレビジョン受像機。
【請求項５】
前記情報送信部及び前記情報受信部は、無線ＬＡＮ規格に準拠した通信を行うことを特徴とする請求項１乃至請求項４のいずれか一項に記載のテレビジョン受像機。
【発明の詳細な説明】
【技術分野】
【０００１】
本発明は、放送局からのテレビジョン放送信号を受信するテレビジョン受像機に関する。
【背景技術】
【０００２】
地震若しくは津波等の災害が発生するか、又はその発生が予想されるとき、放送局は、災害の発生情報又は予測情報を示す緊急警報放送信号を、ディジタルテレビジョン放送信号（以下、単に放送信号という）に含めて発信する。そこで、従来から、テレビジョン（以下、ＴＶという）受像機において、放送信号内の緊急警報放送信号の検出が可能であって、放送信号を受信して放送番組を表示している最中（以下、放送番組の視聴中という）に緊急警報放送信号を検出したときには、緊急警報情報を表示するものが知られている。
【０００３】
このＴＶ受像機では、放送番組の視聴中に、放送局から緊急警報放送信号が発信されると、緊急警報放送信号の受信も緊急警報情報の表示も可能であり、ユーザが緊急警報情報を基に危険を察知することができるが、あくまでも放送番組の視聴中であることが前提である。従って、ＴＶ受像機が放送受信機能も表示機能もオフされた待機モードであるときに、放送局から緊急警報放送信号が発せられたとしても、ＴＶ受像機は、緊急警報放送信号の受信も緊急警報情報の表示もできない。そのため、ユーザは危険を察知できない。
【０００４】
そこで、ＴＶ受像機において、待機モードであっても、放送受信回路により放送信号を受信し続けるようにしたものが知られている。しかしながら、放送信号の受信処理には、放送信号の復調、復調後の放送信号の映像・音声・制御信号への分離、及び分離後の各信号のデコード等の処理が含まれており、受信処理の消費電力は比較的多いことから、待機モード中の消費電力が増加してしまう。
【０００５】
ところで、放送信号内の緊急警報放送信号を検出可能なＴＶ受像機において、緊急警報放送信号の検出時に、その検出を通知する情報を周辺の情報端末に送信するものが知られている（例えば、特許文献１乃至３を参照）。しかしながら、そのようなＴＶ受像機では、上記の問題を解決することが難しい。
【先行技術文献】
【特許文献】
【０００６】
【特許文献１】特開２００８−１６６８６３号公報
【特許文献２】特開２００７−１７００８号公報
【特許文献３】特開２００５−２７７６３０号公報
【発明の概要】
【発明が解決しようとする課題】
【０００７】
本発明は、上記の問題を解決するためになされたものであり、放送局から緊急警報放送信号がいつ発せられたとしても、緊急警報放送信号の受信及び緊急警報情報の表示が可能であり、しかも、消費電力を抑えることができるテレビジョン受像機を提供することを目的とする。
【課題を解決するための手段】
【０００８】
上記目的を達成するために本発明のテレビジョン受像機は、放送局から放送信号を受信する放送受信部と、前記放送受信部により受信された放送信号に緊急警報放送信号が含まれているか否かを判断する判断部と、前記判断部により前記放送信号に前記緊急警報放送信号が含まれていると判断されたとき、前記緊急警報放送信号を基に緊急警報情報を表示する表示部と、を備えたテレビジョン受像機において、前記判断部により前記放送信号に前記緊急警報放送信号が含まれていると判断されたとき、放送局が緊急警報放送中であることを示す警報発令情報信号を他のテレビジョン受像機に無線送信する情報送信部と、他のテレビジョン受像機からの前記警報発令情報信号を無線受信する情報受信部と、前記情報受信部により前記警報発令情報信号が受信されたとき、前記放送受信部及び前記表示部が待機状態にある場合、前記放送受信部及び前記表示部を動作状態に切り替える制御部と、を備えることを特徴とする。
【０００９】
この発明において、前記警報発令情報信号が送信済みである場合にオンに設定され、前記警報発令情報信号が送信済みではない場合にオフに設定される送信フラグを記憶した記憶部をさらに備え、前記制御部は、前記判断部により前記放送信号に前記緊急警報放送信号が含まれていると判断されたとき、前記記憶部に記憶された送信フラグがオフ状態である場合には、前記情報送信部に前記警報発令情報信号を送信させると共に、前記送信フラグをオン状態に切り替え、前記警報発令情報信号の送信から所定期間の経過後に前記送信フラグをオフ状態に戻し、前記送信フラグがオン状態である場合には、前記情報送信部に前記警報発令情報信号を送信させないことが好ましい。
【００１０】
この発明において、前記情報受信部の動作状態と待機状態とを切り替えるための受信設定切替え部をさらに備えることが好ましい。
【００１１】
この発明において、映像再生装置と接続可能な接続部をさらに備え、前記表示部は、前記接続部に接続された映像再生装置により再生される映像を表示可能な構成とされており、前記制御部は、前記表示部による前記映像の表示期間中、前記放送受信部を待機状態にさせ、前記情報受信部により前記警報発令情報信号が受信されたとき、前記放送受信部を動作状態に切り替え、前記表示部に緊急警報情報を表示させることが望ましい。
【００１２】
この発明において、前記情報送信部及び前記情報受信部は、無線ＬＡＮ規格に準拠した通信を行うことが望ましい。
【発明の効果】
【００１３】
本発明によれば、本発明と同じ構成の他のテレビジョン受像機が無線通信可能な範囲内に設置され、そのテレビジョン受像機の放送受信部が動作状態であれば、放送局から緊急警報放送信号がいつ発せられたとしても、その放送信号受信部により緊急警報放送信号が受信され、そのテレビジョン受像機の情報送信部から警報発令情報信号が送信される。それに伴い、この信号の送信元のテレビジョン受像機とは別の本発明のテレビジョン受像機において、情報受信部が警報発令情報信号を受信すると、放送受信部及び表示部は待機状態であったとしても動作状態に切り替わり、そのため、緊急警報放送信号の受信及び緊急警報情報の表示が可能になる。従って、緊急警報放送信号の受信及び緊急警報情報の表示のために、放送受信部及び表示部を常に動作状態にしておく必要はなくなる。その結果、放送受信部及び表示部を待機状態に設定することにより、消費電力を減らすことができる。
【図面の簡単な説明】
【００１４】
【図１】本発明の一実施形態に係るテレビジョン受像機の概略構成を説明するための図。
【図２】上記テレビジョン受像機の電気的ブロック図。
【図３】上記テレビジョン受像機における制御処理のフローチャート。
【図４】上記実施形態の一変形例に係るテレビジョン受像機の電気的ブロック図。
【図５】上記とは別の変形例に係るテレビジョン受像機の電気的ブロック図。
【図６】上記テレビジョン受像機における制御処理のフローチャート。
【発明を実施するための形態】
【００１５】
本発明の一実施形態に係るテレビジョン（以下、ＴＶという）受像機について図面を参照して説明する。まず、本実施形態のＴＶ受像機の概略構成を説明する。ここで、図１に示すように、本実施形態のＴＶ受像機１が複数の住宅Ｈ１にそれぞれ設置され、それらのＴＶ受像機１のうち、例えば１台のＴＶ受像機１（図中左側で一番上のＴＶ受像機１）だけが、ディジタルＴＶ放送信号（以下、単に放送信号という）を受信中であり、その他のＴＶ受像機１は、放送信号を受信しておらず、待機中であったとする。そして、そのような状況で、災害が発生するか、又は災害の発生が予想され、放送局が緊急警報放送信号を放送信号に乗せて発し、放送信号受信中のＴＶ受像機１がその緊急警報放送信号を受信したとする。
【００１６】
その場合、緊急警報放送信号を受信したＴＶ受像機１は、緊急警報情報を表示すると共に、放送局が緊急警報放送中であることを示す警報発令情報信号を、待機中である不特定多数の周辺の他のＴＶ受像機１に無線送信する。その警報発令情報信号を無線受信した他のＴＶ受像機１は、待機状態から復帰して、放送信号を受信する。そして、そのＴＶ受像機１は、受信した放送信号に緊急警報放送信号が含まれているとき、警報発令情報信号をさらに他のＴＶ受像機１に送信する。
【００１７】
図２は、ＴＶ受像機１の詳細な構成を示す。ＴＶ受像機１は、放送局からアンテナ２を介して放送信号を受信する放送受信回路３（放送受信部）と、放送受信回路３により受信された放送信号に緊急警報放送信号が含まれているか否かを判断する判断回路４（判断部）と、判断回路４により放送信号に緊急警報放送信号が含まれていると判断されたとき、緊急警報放送信号を基に緊急警報情報を表示する表示器５（表示部）と、判断回路４により上記判断がなされたとき、他のＴＶ受像機１に警報発令情報信号を無線送信する通信回路６（情報送信部）と、操作部７とを備える。操作部７は、放送受信回路３及び表示器５を一括して、動作状態と、動作を停止する待機状態との間で、切り替えるための状態切替えスイッチを有する。
【００１８】
判断回路４は、ＴＶ受像機１に搭載されたＣＰＵ８に備えられている。ＣＰＵ８は、操作部７へのユーザの操作に応じて放送受信回路３及び表示器５を動作状態と待機状態との間で切り替える制御回路９（制御部）をさらに有する。通信回路６（情報受信部）は、他のＴＶ受像機１からの警報発令情報信号を無線受信することも可能な構成とされており、無線ＬＡＮ規格に準拠した通信を行う。ここで、通信回路６により他のＴＶ受像機１からの警報発令情報信号が受信されたとき、放送受信回路３及び表示器５が待機状態に設定されていたとする。その場合、制御回路９は、放送受信回路３及び表示器５を待機状態から動作状態に切り替える。また、ＴＶ受像機１は、メモリ１０及びタイマ１１を有し、さらに、不図示であるが、放送番組等の音声を出力するスピーカを有する。
【００１９】
ところで、放送信号は、放送番組の映像信号及び音声信号と、各種の制御信号とが多重化されており、その制御信号には、ＰＭＴ（Program Map Table）及び伝送多重化制御信号（ＴＭＣＣ； Transmission and Multiplexing Configuration Control）が含まれる。そして、地震又は津波等の災害が発生するか、又はその発生が予想されるとき、放送局は、緊急情報放送信号として、伝送多重化制御信号中の緊急警報放送用起動フラグ（以下、単に起動フラグという）を“１”に設定し、さらに、ＰＭＴ内の緊急情報記述子を、緊急警報情報の内容を示すものに設定する。
【００２０】
放送受信回路３は、アンテナ２を介して受信する放送信号のチャンネルを選択し、その選択したチャンネルの放送信号を受信するチューナ３１と、チューナ３１により受信された放送信号を復調する復調回路３２と、復調回路３２により復調された放送信号から映像信号、音声信号及び制御信号をそれぞれ分離するデマルチプレクサ３３と、デマルチプレクサ３３により分離された映像信号、音声信号及び制御信号をそれぞれ復号化するデコーダ３４とを有する。
【００２１】
判断回路４は、デコーダ３４により復号化された制御信号を解析し、伝送多重化制御信号中の起動フラグが“１”であることと、ＰＭＴ内の緊急情報記述子が緊急警報情報を示していることとの両方又はいずれか一方を認識することにより、放送信号に緊急警報情報信号が含まれていると判断する。表示器５は、放送受信回路３により受信される放送信号を基にＴＶ放送番組（以下、放送番組という）を表示するためのディスプレイであり、緊急警報情報の表示に兼用される。操作部７は、放送受信回路３による受信チャンネルを選局するための選局スイッチをさらに有する。
【００２２】
制御回路９は、操作部７の選局スイッチを用いたユーザ操作に基づいて、放送受信回路３による受信チャンネルを選局する。そして、制御回路９は、その受信チャンネルの放送信号からデコーダ３４によりデコードされた映像信号及び音声信号に基づいて、表示器５に放送番組の映像を表示させ、上記スピーカに放送番組の音声を出力させる。
【００２３】
また、制御回路９は、受信チャンネルの放送信号に緊急警報放送信号が含まれるとき、その緊急警報放送信号に基づいて、表示器５に緊急警報情報を表示させると共に、警報発令情報信号を生成し、その生成した警報発令情報信号を通信回路６に送信させる。また、制御回路９は、放送受信回路３及び表示器５の状態切替えを、不図示の電源から放送受信回路３及び表示器５への給電をオン／オフすることにより行う。
【００２４】
メモリ１０（記憶部）は、警報発令情報信号が送信済みか否かを示す送信フラグを記憶している。その送信フラグは、警報発令情報信号が送信済みである場合に“１”（オン）に設定され、警報発令情報信号が送信済みではない場合に“０”（オフ）に設定される。この設定は制御回路９により行われる。タイマ１１は、警報発令情報信号の送信時からの経過時間を計測するためのものである。
【００２５】
図３は、ＣＰＵ８（判断回路４及び制御回路９）による制御処理を示す。同図では、ＴＶ受像機１が無線ＬＡＮ通信可能な範囲内に２台、設置された場合を想定している。ここで、ＴＶ受像機１における放送受信回路３及び表示器５が動作状態であるモードを放送受信モードといい、放送受信回路３及び表示器５が待機状態であるモードを待機モードという。操作部７は、上記状態切替えスイッチを用いてＴＶ受像機１を放送受信モードと待機モードとの間で切り替えることができる。同図では、上記２台のＴＶ受像機１のうち、一方のＴＶ受像機１が操作部７を用いて放送受信モードに設定され、他方のＴＶ受像機１が操作部７を用いて待機モードに設定されているとする。
【００２６】
その場合、放送受信モードのＴＶ受像機１では、判断回路４が、放送受信回路３により緊急警報放送信号が受信されたか否かを判断する。緊急警報放送信号が受信されたと判断されると（Ｓ１０１でＹｅｓ）、制御回路９は、緊急記述子により示される緊急警報情報を表示器５に表示させる（Ｓ１０２）。そして、制御回路９は、メモリ１０にアクセスし、メモリ１０に記憶された緊急警報放送信号の送信フラグの内容確認を行う。送信フラグが“１”ではなく、“０”（オフ状態）に設定されている場合（Ｓ１０３でＮｏ）、制御回路９は、通信回路６に警報発令情報信号を送信させると共に（Ｓ１０４）、送信フラグを“１”（オン状態）に設定する（Ｓ１０５）。Ｓ１０３の処理で送信フラグが“１”に設定されていることが確認された場合（Ｓ１０３でＹｅｓ）、制御回路９は、通信回路６に警報発令情報信号を送信させない。制御回路９は、タイマ１１を用いて警報発令情報送信時からの経過時間を計測し、その計測時間が所定期間に達するとき（Ｓ１０６でＹｅｓ）、メモリ１０内の送信フラグをリセットして“０”に戻す（Ｓ１０７）。
【００２７】
待機モードのＴＶ受像機１では、制御回路９が、動作状態のＴＶ受像機１からの警報発令情報信号を、通信回路６を介して受信すると（Ｓ１０８）、放送受信回路３及び表示器５を待機状態から動作状態に切り替える（Ｓ１０９）。その後、判断回路４及び制御回路９は、Ｓ１０１〜Ｓ１０７とそれぞれ同等の内容である処理Ｓ１１０〜Ｓ１１６を実行する。
【００２８】
本実施形態においては、他のＴＶ受像機１が無線通信可能な範囲内に設置され、そのＴＶ受像機１の放送受信回路３が動作状態であれば、放送局から緊急警報放送信号がいつ発せられたとしても、その放送受信回路３により緊急警報放送信号が受信され、そのＴＶ受像機１の通信回路６から警報発令情報信号が送信される。それに伴い、この信号の送信元のＴＶ受像機１とは異なるＴＶ受像機１において、通信回路６が警報発令情報信号を受信すると、放送受信回路３及び表示器５は待機状態であったとしても動作状態に切り替わる。そのため、緊急警報放送信号の受信及び緊急警報情報の表示が可能になる。従って、緊急警報放送信号の受信及び緊急警報情報の表示のために、放送受信回路３及び表示器５を常に動作状態にしておく必要はなくなる。その結果、放送受信回路３及び表示器５を待機状態に、すなわち、ＴＶ受像機１を待機モードに設定することにより、消費電力を抑制することができる。
【００２９】
また、通信回路６の通信方式は、無線ＬＡＮ規格に準拠したものであり、放送受信回路３による処理と比べて、通信回路６による処理は、簡単であって、消費電力が少ない。従って、ＴＶ受像機１のモードに関係なく、いつでも緊急警報放送信号に反応できるように、通信回路６を常時動作させたとしても、従来のように放送受信回路３を常時動作させる場合と比べて、消費電力が少なくて済む。
【００３０】
また、放送局からの緊急警報放送信号が受信され、その受信時に、警報発令情報信号が他のＴＶ受像機１に１度、送信されると、その後の所定期間には、緊急警報放送信号が再度受信されたとしても、警報発令情報信号の再送信がなされない。従って、通信トラフィックを軽減することができ、また、送信先である他のＴＶ受像機１の処理負荷を抑えることができる。また、所定期間の経過後には、警報発令情報信号を送信可能な状態に自動的に戻ることから、状態を戻すための操作が不要になり、便利である。
【００３１】
次に、上記実施形態の変形例に係るＴＶ受像機１について説明する。図４は、一変形例のＴＶ受像機１の構成を示す。同図において、上記実施形態と同一の構成部材には同一の符号を付す（以下、同様）。本変形例のＴＶ受像機１は、ＴＶ受像機１の周辺における人の存在を検知する人感センサ１２をさらに備える。制御回路９（受信設定切替え部）は、人感センサ１２により人の存在が検知されるとき、通信回路６を動作状態に切り替え、人感センサ１２により人の存在が検知されないとき、通信回路６を待機状態に切り替える。待機状態は動作が停止した状態であり、制御回路９は、通信回路６の状態切替えを、不図示の電源から通信回路６への給電を入切りすることにより行う。
【００３２】
本変形例においては、ＴＶ受像機１の周辺に人が居ないときには、他のＴＶ受像機１が警報発令情報信号を送信したとしても、通信回路６が待機状態に設定されていることから、その警報発令情報信号を受信することができない。従って、その警報発令情報信号の受信時に、放送受信回路３及び表示器５が待機状態から自動的に起動して動作状態に切り替わることがなくなる。そのため、不要な起動を防ぐことができる。
【００３３】
図５は、上記とは別の変形例のＴＶ受像機１の構成を示す。本変形例のＴＶ受像機１は、インターネット回線Ｌ１を介してストリーミングサーバＳ１（映像再生装置）と接続可能な接続回路１３（接続部）をさらに備える。本変形例において、表示器５は、接続回路１３に接続されたストリーミングサーバＳ１によりストリーミング方式で再生される映像（以下、ストリーミング映像という）を表示可能な構成とされている。そのため、ＴＶ受像機１のモードとしては、上述した放送受信モード及び待機モードの他に、ストリーミングモードが設定可能とされており、ストリーミングモードでは、接続回路１３が動作状態になり、表示器５がストリーミング映像を表示し、その表示期間中、放送受信回路３が待機状態になる。
【００３４】
操作部７の上記状態切替えスイッチは、ＴＶ受像機１を、放送受信モード、待機モード及びストリーミングモードの間で切替え可能な構成とされている。制御回路９は、操作部７を用いて設定されるＴＶ受像機１のモードに従って、放送受信回路３、表示器５及び接続回路１３を制御する。放送受信モードのとき、接続回路１３は、動作状態と待機状態のいずれであってもよいが、待機モードのとき、接続回路１３は、待機状態であることが望ましい。
【００３５】
図６は、本変形例のＣＰＵ８（判断回路４及び制御回路９）による制御処理を示す。図６では、２台のＴＶ受像機１が図３の場合と同じように設置され、一方のＴＶ受像機１が放送受信モードであり、他方のＴＶ受像機１がストリーミングモードである場合を想定している。放送受信モードのＴＶ受像機１における制御処理は、図３と同じであることから、ここでは、ストリーミングモードのＴＶ受像機１の制御処理についてのみ説明する。その制御処理は、図３に示す待機モードのＴＶ受像機１の制御処理におけるＳ１０９の処理をＳ２０１及びＳ２０２の処理に変更したものである。Ｓ２０１の処理では、通信回路により警報発令情報信号が受信されたとき、制御回路９が、放送受信回路３を待機状態から復帰させて動作状態に切り替える。Ｓ２０２の処理では、制御回路９が、放送受信回路３により受信された放送信号に基づき、放送番組を表示器５に表示させる。
【００３６】
本変形例においては、放送局から緊急警報放送信号が発せられたときに、ストリーミングモードの場合であっても、他のＴＶ受像機１から通信回路６が警報発令情報信号を受信すると、放送受信回路３が待機状態から動作状態に切り替わる。そのため、放送受信回路３による緊急警報放送信号の受信、及び表示器５による緊急警報情報の表示が可能になる。
【００３７】
また、ストリーミングモードでも、緊急警報放送信号を検出するために放送受信回路を常時動作させて、ＣＰＵに放送受信回路の制御と表示器によるストリーミング映像の表示制御との両方を実行させる場合と比べ、本変形例においては、ストリーミングモードでのＣＰＵ８による放送受信回路３の制御は不要になることから、ＣＰＵ８の処理量を減らすことができ、ＣＰＵ８が必ずしも高性能なものである必要はなくなる。従って、製造コストの低減を図ることができる。
【００３８】
なお、本発明は、上記の実施形態の構成に限定されるものでなく、使用目的に応じ、様々な変形が可能である。例えば、ＴＶ受像機１が放送受信モードであるときに、判断回路４により放送信号に緊急警報放送信号が含まれていると判断された場合、制御回路９は、そのときに放送受信回路３が受信中のチャンネルを示したチャンネル情報を警報発令情報信号に含めて、通信回路６に送信させてもよい。その場合、ＴＶ受像機１が待機モードであるときに、通信回路６により他のＴＶ受像機１からの警報発令情報信号が受信された際、制御回路９は、その警報発令情報信号に含まれたチャンネル情報に基づいて、そのチャンネル情報により示されるチャンネルを放送受信回路３に選局させることが望ましい。その構成によれば、各放送局によって緊急警報放送信号の発信時点が異なる場合でも、待機モードのＴＶ受像機１において、放送受信回路３が動作状態に切り替わるとき、放送受信回路３による受信チャンネルが、緊急警報放送信号を現在発信中の放送局のチャンネルに自動的に設定されるので、緊急警報放送信号を受信するのに受信チャンネルを操作部７により手動で切り替える操作は不要になり、操作の手間を省くことができる。また、図４の変形例と図５の変形例とを組み合わせてもよい。
【符号の説明】
【００３９】
１  ＴＶ受像機
３  放送受信回路（放送受信部）
４  判断回路（判断部）
５  表示器（表示部）
６  通信回路（情報送信部、情報受信部）
９  制御回路（制御部、受信設定切替え部）
１０  メモリ（記憶部）
１２  人感センサ
１３  接続回路（接続部）
【図１】
2013150206.tif 000003
【図２】
2013150206.tif 000004
【図３】
2013150206.tif 000005
【図４】
2013150206.tif 000006
【図５】
2013150206.tif 000007
【図６】
2013150206.tif 000008